(57)【要約】【課題】意匠性に優れ、適度な伸縮性を備えたベルトを提案すること。【解決手段】ベルト本体の先端もしくはその近傍を係止しうる係止構造を備えたペルト金具に、非伸縮性の短い帯状部材の一端を巻回して連結し、前記非伸縮性の短い帯状部材の他端に伸縮性の帯状部材の一端を連結するとともに、前記非伸縮性の短い帯状部材の他端は、前記伸縮性の帯状部材を伸張させた状態より長く延設して舌状のカバー手段とし、前記伸縮性の帯状部材の他端には、前記ベルト本体の基端を着脱自在に挟持し得る連結金具を設け、この連結金具には前記ベルト本体の基端を挟持させ、装着したときには、カバー手段とベルト本体の先端がめくれあがることを防止するように構成した。【選択図】図１
2010070900.tif 000002
【特許請求の範囲】
【請求項１】
ベルト本体の先端もしくはその近傍を係止しうる係止構造を備えたペルト金具に、非伸縮性の短い帯状部材の一端を巻回して連結し、前記非伸縮性の短い帯状部材の他端に伸縮性の帯状部材の一端を連結するとともに、前記非伸縮性の短い帯状部材の他端は、前記伸縮性の帯状部材を伸張させた状態より長く延設して舌状のカバー手段とし、前記伸縮性の帯状部材の他端には、前記ベルト本体の基端を着脱自在に挟持し得る連結金具を設け、この連結金具には前記ベルト本体の基端を挟持させ、
ベルト金具に巻回した前記非伸縮性の短い帯状部材に、ベルト本体を通して保持するための第１ベルト通しを挟み込んで、前記短い帯状部材と前記第１ベルト通しと前記伸縮性の帯状部材とを止着して連結し、
前記伸縮性の帯状部材は複数枚重ねて配設するとともに、この複数枚の帯状部材の何れか２枚の間には、ベルト本体の先端を通して保持するための第２ベルト通しをスライド自在に挿通し、
前記伸縮性の帯状部材の他端は折り返して２枚重ねとし、折り返した端部の近傍を重ねた状態で縫いつけることによって、折り返した端部にほかの部分より厚い抜け止め部を形成し、この抜け止め部を金具で挟んで止着し、
前記カバー手段の長さは、伸張状態における前記伸縮性の帯状部材の長さより０．５センチメートル以上長くし、
さらに、前記連結金具に別のベルト通しを配設し、装着したときには、前記別のベルト通しにカバー手段とベルト本体の先端を通すようにすることによって、カバー手段とベルト本体の先端がめくれあがることを防止するように構成したことを特徴とする伸縮ベルト。
【請求項２】
一端がベルト金具に止着された非伸縮性の帯状部材の裏面に、伸縮性の帯状部材の一端を止着し、ベルト本体の基部には前記伸縮性の帯状部材の他端を止着したことを特徴とする伸縮ベルト。
【請求項３】
伸縮性の帯状部材に、長さ調節機構を設けたことを特徴とする請求項１乃至２のいずれか１項に記載の伸縮ベルト。
【発明の詳細な説明】
【技術分野】
【０００１】  本発明は、ズボンに用いるベルトに関するものであり、特には、適度な伸縮性と優れた意匠性を具備したベルトに関するものである。
【背景技術】
【０００２】  従来より、ズボンを穿いて食事をした後等の場合には、腹部が膨らみ、ズボンがきつくなって苦しくなるということがあった。外観を気にしなければ腰の部分にゴムを編み込んだトレーニングパンツやトレーナー等を穿いておけば、ゴムの伸縮により苦しさは軽減される。しかし、外観を重視すれば、意匠性の優れたズボンとベルトとの組み合わせが相応しいものである。【０００３】  そのため、ズボンがきつくなると、ズボンのホックを外したりベルトを緩めたりしたいが、エチケット上からそのようなことは我慢しなければならず、苦しいものであった。そのような事情に鑑みて、近年、一見すると意匠性の優れた普通のズボンでありながら、腰回りの部分に伸縮機能が隠されたズボンが開発されている。ところが、この場合には、ズボンは伸縮しても、ベルトが伸縮しなければ問題は解決しない。そして、折角ズボンの伸縮機能は見えないように隠したとしても、より目立つベルトが見苦しいものであっては用いることはできない。
【先行技術文献】
【特許文献】
【０００４】
【特許文献１】特開平１０−２８０２１９号公報
【発明の概要】
【発明が解決しようとする課題】
【０００５】  従来の伸縮性のベルトとしては、全体的に伸縮性のゴム編み等の構成を備えたものが市販されているが、このようなベルトでは革ベルトのような優れた意匠性は得られなかった。
そこで、ベルトだけは従来の革ベルトを用いることが多く、折角のズボンの伸縮機能を活かすことができなかった。
本発明は、意匠性の優れた革ベルトでありながら、適度な伸縮性を備えたベルトを提案することを目的としてなされたものである。
【課題を解決するための手段】
【０００６】  請求項１では、
ベルト本体の先端もしくはその近傍を係止しうる係止構造を備えたペルト金具に、非伸縮性の短い帯状部材の一端を巻回して連結し、前記非伸縮性の短い帯状部材の他端に伸縮性の帯状部材の一端を連結するとともに、前記非伸縮性の短い帯状部材の他端は、前記伸縮性の帯状部材を伸張させた状態より長く延設して舌状のカバー手段とし、前記伸縮性の帯状部材の他端には、前記ベルト本体の基端を着脱自在に挟持し得る連結金具を設け、この連結金具には前記ベルト本体の基端を挟持させ、
ベルト金具に巻回した前記非伸縮性の短い帯状部材に、ベルト本体を通して保持するための第１ベルト通しを挟み込んで、前記短い帯状部材と前記第１ベルト通しと前記伸縮性の帯状部材とを止着して連結し、
前記伸縮性の帯状部材は複数枚重ねて配設するとともに、この複数枚の帯状部材の何れか２枚の間には、ベルト本体の先端を通して保持するための第２ベルト通しをスライド自在に挿通し、
前記伸縮性の帯状部材の他端は折り返して２枚重ねとし、折り返した端部の近傍を重ねた状態で縫いつけることによって、折り返した端部にほかの部分より厚い抜け止め部を形成し、この抜け止め部を金具で挟んで止着し、
前記カバー手段の長さは、伸張状態における前記伸縮性の帯状部材の長さより０．５センチメートル以上長くし、
さらに、前記連結金具に別のベルト通しを配設し、装着したときには、前記別のベルト通しにカバー手段とベルト本体の先端を通すようにすることによって、カバー手段とベルト本体の先端がめくれあがることを防止するように構成した。
請求項２では、
一端がベルト金具に止着された非伸縮性の帯状部材の裏面に、伸縮性の帯状部材の一端を止着し、ベルト本体の基部には前記伸縮性の帯状部材の他端を止着した。
請求項３では、
伸縮性の帯状部材に、長さ調節機構を設けた。【０００７】  なお、非伸縮性の帯状部材としては意匠性に優れた革を素材とすることが好ましい。伸縮性の帯状部材としてはゴム編みによる帯状の素材が適当である。カバー手段としては前記非伸縮性の帯状部材と同じ材質が好ましい。【０００８】  また、伸縮性の帯状部材を複数枚重ねた構成にし、その何れか２枚の間にはベルト通しをスライド自在に通した。従って、当該ベルトを装着時においても、前記ベルト通しは２枚の帯状部材の間をスライドできるので、所望の位置にスライドさせて使用することができる。【０００９】  また、第１ベルト通しと略同じ厚さの伸縮性の帯状部材とを並べて挟み込んだので、厚さが揃って見苦しくない。また、第２ベルト通しはスライド自在に設けたので、装着した状態で自由位に位置を調節することができる。さらに、カバー手段の長さは、伸縮性の帯状部材の非伸張状態における長さより２．５センチメートル以上長くしたので、伸縮性の帯状部材が伸張しても充分カバーすることができる。
【発明の効果】
【００１０】  請求項１では、
ベルト本体の先端もしくはその近傍を係止しうる係止構造を備えたペルト金具に、非伸縮性の短い帯状部材の一端を巻回して連結し、前記非伸縮性の短い帯状部材の他端に伸縮性の帯状部材の一端を連結するとともに、前記非伸縮性の短い帯状部材の他端は、前記伸縮性の帯状部材を伸張させた状態より長く延設して舌状のカバー手段とし、前記伸縮性の帯状部材の他端には、前記ベルト本体の基端を着脱自在に挟持し得る連結金具を設け、この連結金具には前記ベルト本体の基端を挟持させ、
ベルト金具に巻回した前記非伸縮性の短い帯状部材に、ベルト本体を通して保持するための第１ベルト通しを挟み込んで、前記短い帯状部材と前記第１ベルト通しと前記伸縮性の帯状部材とを止着して連結し、
前記伸縮性の帯状部材は複数枚重ねて配設するとともに、この複数枚の帯状部材の何れか２枚の間には、ベルト本体の先端を通して保持するための第２ベルト通しをスライド自在に挿通し、
前記伸縮性の帯状部材の他端は折り返して２枚重ねとし、折り返した端部の近傍を重ねた状態で縫いつけることによって、折り返した端部にほかの部分より厚い抜け止め部を形成し、この抜け止め部を金具で挟んで止着し、
前記カバー手段の長さは、伸張状態における前記伸縮性の帯状部材の長さより０．５センチメートル以上長くし、
さらに、前記連結金具に別のベルト通しを配設し、装着したときには、前記別のベルト通しにカバー手段とベルト本体の先端を通すようにすることによって、カバー手段とベルト本体の先端がめくれあがることを防止するように構成したので、
伸縮性の帯状部材を伸張させたときでもカバー手段でカバーされて、意匠性に優れているとともに、抜け止め部が形成されているので使用中に抜けることも防止され、さらには、前記連結金具に別のベルト通しを配設してカバー手段とベルト本体の先端がめくれあがることを防止したので、長い期間使用しても見苦しくならない。
【図面の簡単な説明】
【００１１】
【図１】  本発明の伸縮ベルトの斜視図である。
【図２】  本発明の伸縮ベルトの要部側面図である。
【図３】  本発明の伸縮ベルトの要部平面図である。
【図４】  本発明の別の実施形態の伸縮ベルトの要部側面図である。
【図５】  本発明の別の実施形態の伸縮ベルトの要部側面図である。
【図６】  図５の伸縮ベルトの要部斜視図である。
【図７】  本発明の別の実施形態の伸縮ベルトの要部側面図である。
【図８】  伸縮性の帯状部材の加工過程を説明する説明図である。
【図９】  本発明の別の実施形態の伸縮ベルトの斜視図である。
【図１０】  図９の伸縮ベルトの要部側面図である。
【発明を実施するための形態】
【００１２】  以下に、本発明にかかる伸縮ベルトを、その実施の形態を示した図面に基づいて詳細に説明する。
【００１３】  斜視図を示した図１において、本発明の伸縮ベルト１は、非伸縮性の帯状部材２の一端側に伸縮性の帯状部材３を連結し、さらにこの伸縮性の帯状部材３には金具４が設けられている。この金具４には、伸縮性の帯状部材３を覆う短い帯状のカバー手段５の一端が逢着されている。前記非伸縮性の帯状部材２は革製の帯状部材であり、伸縮性の帯状部材３は２重に形成され、ベルト通し６が付設されている。出願人は、既に特開平１０−２８０２１９（特願平０９−０８８３３１）において、上記基本構成の伸縮ベルトを提案したが、本発明においては、更に、有効な構成を付加してより快適で意匠感の優れた伸縮ベルトを提案するものである。
【００１４】  前記金具４の近傍には第１ベルト通し８が設けられている。前記カバー手段４の自由端側は、前記２枚重ねの伸縮性の帯状部材３に挟まれたスライド自在に設けられた第２ベルト通し６に挿通されている。前記非伸縮性の帯状部材２の他端側には複数の透孔が形成されている。
【００１５】  要部の側面図を示した図２において、革製の非伸縮性の帯状部材２と金具４の間に、ゴム編みによる伸縮性の帯状部材３が配されている。金具４には、前記帯状部材２と同材質の革製のカバー手段５の一端が巻回されて逢着され、カバー手段５の他端は第２ベルト通し６に挿通されて、伸縮性の帯状部材３をカバーし非伸縮性の帯状部材２の部分にまで至っている。
【００１６】  図１、図２に基づいて説明したように、カバー手段５が配されているので、平面視すると、要部の側面図を示した図３のように、伸縮性の帯状部材３はカバー手段５に隠れて外からは見えない。特に、カバー手段５の長さＬ２は、伸縮性の帯状部材３の非伸張状態における長さＬ１より２．５センチメートル以上長くしたので、伸縮性の帯状部材３が伸張しても充分カバーすることができる。もしくは、カバー手段５の長さは、伸張状態における伸縮性の帯状部材３の長さより０．５センチメートル以上長くしたので、伸縮性の帯状部材３が伸張しても充分カバーすることができる。もしくは、前記伸縮性の帯状部材３の、非伸張状態における長さＬ１は３〜５センチメートル、伸張状態における長さは５〜７センチメートルとしたので、伸張状態と非伸張状態とでは２センチメートルの差があるので必要にして充分な伸縮性が得られる。
【００１７】  なお、カバー手段５の長さＬ２は、伸縮性の帯状部材３の非伸張状態における長さＬ１より１センチメートル以上長くしてもカバーすることができる。また、カバー手段５の長さは、伸張状態における伸縮性の帯状部材３の長さより０．２センチメートル以上長くしてもカバーすることができる。また、前記伸縮性の帯状部材３の、非伸張状態における長さＬ１は１〜７センチメートル、伸張状態における長さは２〜１０センチメートルとしてもよい。
【００１８】  以上の構成の伸縮ベルト１を伸縮機能を備えたズボンと共に用いると、例えば食事の時に満腹になって腹部が膨らんでも、ズボンとともにベルトも伸びるので、ベルトを緩めなくても腹部は苦しくないという効果が得られる。しかも、伸縮性の帯状部材３はカバー手段５によって隠れるので外観は普通の革ベルトのように見え、優れた意匠性も得られる。
【００１９】  前記連結金具１０の表面には薄い皮材もしくは合成樹脂製の疑似皮材を貼付して、連結金具１０の金属面が露出しないようにした。なお、本発明の実施の形態としては、図示した形態のものや上述した構成に限定されるものではないことは当然である。例えば、金具はバックル形式でも可能であり、非伸縮性の帯状部材としては革以外の素材でもよい。また、カバー手段は帯状部材２と異なる材質でも可能である。
図２において一点鎖線で示したように、前記連結金具１０に別のベルト通し６Ｂを配設し、装着したときには、このベルト通し６Ｂにカバー手段とベルト本体の先端を通すようにすることによって、カバー手段とベルト本体の先端がめくれあがることを防止できる。
なお、カバー手段の裏面に磁石を配して連結金具に吸着するようにしてもめくれあがりを防止できる。
【００２０】  また、だぼネジと溝等によって構成した係合スライド機構を設けてもよい。
また、非伸縮性の帯状部材３の組つけにあたっては、図８に示したように、まず、帯状部材を所定の長さに切断し（図８（Ａ）参照）、それを半分に折って重ねる。このとき、折り曲げた部分は若干丸みを帯びて厚くなる。そして、折り曲げた部分の近くを予め縫って補強するとともに、厚みを出しておく。（図８（Ｂ）、（Ｃ）参照）
また、折り曲げた部分の反対側の端の近くには、後でほつれないように、薄い皮材もしくは合成樹脂等の疑似皮材を巻き付けた上から縫い付けておく。（図８（Ｂ）、（Ｃ）参照）  以上のようにして、下処理した非伸縮性の帯状部材をベルト金具と、連結金具とに取り付ける。（図８（Ｄ）参照）
図示したように、伸縮性の帯状部材の折り返した部分には厚みを形成し、この厚みの部分を金具で挟持したので抜けにくい。また，連結金具の表面には薄い皮材もしくは合成樹脂等の疑似皮材を貼付したので、金具が露出しない。
【００２１】  通常の長さの調節は透孔の選択で対応できるが、更に短くするときには連結金具７を開いて、非伸縮性の帯状部材の端部を適宜切り落としてから、再び連結金具７を閉じて連結すればよい。
【００２２】  図４は別の実施形態の伸縮ベルトである。図中、ベルト本体１２の先端を通してその近傍に設けられた孔等を利用して係止しうる係止構造を備えたベルト金具１４に、４センチメートル程の長さの伸縮性の帯状部材１３の一端が連結されている。そして、前記伸縮性の帯状部材１３の他端には連結金具１１が止着されている。この連結金具１１に設けられた挿通部には、前記ベルト本体１２の基端が挿通され、４センチメートル程突出させた状態で挟持されている。
【００２３】  このようにして前記連結金具１１からベルト金具１４側へ突出させた部分１２Ｂによって前記伸縮性の帯状部材１３は覆われている。なお、２重になっている前記伸縮性の帯状部材１３にはベルト通しを設けるとよい。このベルト通しにベルト本体１２の先端近傍Ａを挿通すれば、前記突出させた部分１２Ｂは押さえられてめくれ上がることはない。
【００２４】  前記ベルト本体１２は前記連結金具１１によって挟持されているだけであって切断されてはいないので、通常のベルト金具に使用することも可能である。
図５、６において、２４はベルト金具、２３は伸縮性の帯状部材、２１は連結金具である。２０Ａは例えば革製の非伸縮性の帯状部材であり、その基端は前記ベルト金具２４の軸に巻回して前記伸縮性の帯状部材２３の一端を挟んだ状態で逢着されている。
２０Ｂは例えば革製の非伸縮性の帯状部材であり、その基端は前記伸縮性の帯状部材２３の他端とともに前記連結金具に止着されている。２０Ｃは前記非伸縮性の帯状部材２０Ｂの先端に止着されたベルト通しであり、前記非伸縮性の帯状部材２０Ａの先端が挿通されている。
前記連結金具２１にベルト本体２２の基端を差し込んで挟んだ状態で金具を締めて挟着し、ベルト奔湍２２の先端は、前記ベルト金具２４に通して係止する。ベルト本体２２の先端は更に前記ベルト通し２０Ｃに通して保持する。
【００２５】  前記伸縮性の帯状部材２３が伸縮すると、前記非伸縮性の帯状部材２０Ａと非伸縮性の帯状部材２０Ｂは互いにスライドする。非伸縮性の帯状部材２０Ａの先端はベルト通しに通されているのでめくれ上がることは防止される。ベルト通し２０Ｃによって２つの非伸縮性の帯状部材２０Ａ，２０Ｂはスライド自在に連結されているので、ベルト本体を持った場合でも先が垂れ下がることは防止される。
【００２６】  図７において、３４はベルト金具であり、例えば革製の非伸縮性の帯状部材３０Ａの基端は前記ベルト金具３４の軸に巻回して伸縮性の帯状部材３３の一端を挟んだ状態で逢着されている。
３０Ｂは例えば革製の非伸縮性の帯状部材であり、その途中に前記伸縮性の帯状部材３３の他端が逢着されている。３０Ｃは前記非伸縮性の帯状部材３０Ｂの基端に止着された第１のベルト通しであり、このベルト通し３０Ｃには、前記伸縮性の帯状部材３３の一端と、前記非伸縮性の帯状部材３０Ａが挿通されている。
【００２７】  ３０Ｄは前記非伸縮性の帯状部材３０Ａの先端に止着された第２のベルト通しであり、このベルト通し３０Ｄには、前記非伸縮性の帯状部材３０Ｂが挿通されている。
前記非伸縮性の帯状部材３０Ｂはベルト本体の基部であってもよいが、破線で示したように連結金具３１に前記非伸縮性の帯状部材３０Ｂの端を連結し、前記連結部材３１にベルト本体３２を着脱自在に挟持させて連結してもよい。
前記伸縮性の帯状部材３３が伸縮すると、前記非伸縮性の帯状部材３０Ａと非伸縮性の帯状部材３０Ｂは互いにスライドする。非伸縮性の帯状部材３０Ａの途中は台１のベルト通し３０Ｃに通され、非伸縮性の帯状部材３０Ｂの途中は第２のベルト通し３０Ｄに通されているので、前記非伸縮性の帯状部材３０Ａと非伸縮性の帯状部材３０Ｂは互いにずれることなくスライド自在に連結されている。また、ベルト本体を持った場合でも先が垂れ下がることは防止される。
【００２８】  図９、１０に示した伸縮ベルトは、さらに別の実施形態の伸縮ベルトであって、伸縮性の帯状部材の長さを調節する機構を備えたものである。この伸縮ベルトは、例えば、前述した本発明の伸縮ベルトを長期間使用していると、体型の変化等によって、伸縮ベルトが緩くなったり、きつくなったりすることがあるので、その場合に、ベルト本体を切断等することなく、長さを調節することができるようにしたものである。図９において、４１は図示しないベルト本体と連結するための連結金具である。４３は伸縮性の帯状部材であり、１端は前記連結金具４１に止着され、他端はベルト金具４４に連結された金具４８に挿通されて長さ調節金具４５の開閉体４６に止着されている。長さ調節金具４５のスライド体４７には前記伸縮性の帯状部材４３が挿通されている。上記構成において、伸縮性の帯状部材の長さを調節するときには、図１０に示したように、伸縮性の帯状部材４３を挟持していた開閉体４６を開いて、挟んでいた伸縮性の帯状部材を解放して、スライド体４７を所望の位置にスライドさせて、前記開閉体４６を閉じて再び伸縮性の帯状部材４３を挟持する。図９，図１０における前記スライド体４７と、開閉体４６と、金具４８とが長さ調節機構に対応している。
【００２９】  以上のように、本発明の伸縮ベルトによれば、非伸縮性の帯状部材の一部に伸縮性の帯状部材を連結したので、ベルトを緩めなくても腹部に追従して伸縮する。また、伸縮性の帯状部材はカバー手段によって隠れるので意匠性を損なうことはない。そして、伸縮性の帯状部材を複数枚重ねた構成にし、その何れか２枚の間には第２ベルト通しをスライド自在に通したので、第２ベルト通しは所望の位置にスライドさせて使用することができ、快適な使用感が得られる。
【００３０】  また、第１ベルト通しと略同じ厚さの伸縮性の帯状部材とを並べて挟み込んだので、厚さが揃い見苦しくない。また、第２ベルト通しはスライド自在に設けたので、装着した状態で自由位に位置を調節することができ、快適な使用感が得られる。
さらに、カバー手段の長さは、伸縮性の帯状部材の非伸張状態における長さより２．５センチメートル以上長くしたので、伸縮性の帯状部材が伸張しても充分カバーすることができ、快適な使用感が得られる。
また、カバー手段の長さは、伸張状態における伸縮性の帯状部材の長さより０．５センチメートル以上長くしたので、伸縮性の帯状部材が伸張しても充分カバーすることができ、見苦しくない。
【００３１】  さらに、また、前記伸縮性の帯状部材の、非伸張状態における長さは３〜５センチメートル、伸張状態における長さは５〜７センチメートルとしたので、伸張状態と非伸張状態とでは２センチメートルの差があるので必要にして充分な伸縮性が得られ、快適な使用感がえられる。
そして、伸縮性の帯状部材が露出しないし、伸縮性の帯状部材の長さを調節できるので、さらに快適に使用することができる。
【００３２】  このようにして、本発明によれば、意匠性の優れた革ベルトでありながら、適度な伸縮性を備えた快適なベルトが得られるのである。
【符号の説明】
【００３３】２  ベルト本体
３  伸縮性の帯状部材
４  金具
５  非伸縮性の帯状部材
６  第２ベルト通し
８  第１ベルト通し
１２  ベルト本体
１４  ベルト金具
１３  伸縮性の帯状部材
１１  連結金具
１２Ｂ  突出させた部分
４７  スライド体、長さ調節機構
４６  開閉体、長さ調節機構
４８  金具、長さ調節機構
【図１】
2010070900.tif 000003
【図２】
2010070900.tif 000004
【図３】
2010070900.tif 000005
【図４】
2010070900.tif 000006
【図５】
2010070900.tif 000007
【図６】
2010070900.tif 000008
【図７】
2010070900.tif 000009
【図８】
2010070900.tif 000010
【図９】
2010070900.tif 000011
【図１０】
2010070900.tif 000012